(57)【要約】【課題】吸収性物品に使用する化学物質を可及的に減少させることができ、第三者が排泄を間違うおそれのない吸収性物品を提供する。【解決手段】吸収性物品である使い捨ておむつ１は、肌対向面側に位置する透液性の表面シート３１と、非肌対向面側に位置する不透液性の裏面シートと、表面シートと裏面シート３２との間に位置する吸収体２０とを含む。吸収体２０は、吸液性コア２１と、吸液性コア２１を被覆するコアカバーシート２２とを含む。コアカバーシート２２は、吸液性コア２１の肌対向面側の少なくとも一部を被覆し、第１パルプ繊維を含む第１コアカバーシート２２ａと、吸液性コア２１の非肌対向面側の少なくとも一部を被覆し、第２パルプ繊維を含む第２コアカバーシート２２ｂとを有する。第２パルプ繊維のカッパ価が、第１パルプ繊維のカッパ価よりも小さい。【選択図】図３
2020000714.tif 000002
【特許請求の範囲】
【請求項１】
肌対向面側に位置する透液性の表面シートと、非肌対向面側に位置する不透液性の裏面シートと、前記表面シートと前記裏面シートとの間に位置する吸収体とを含む吸収性物品において、
前記吸収体は、吸液性コアと、前記吸液性コアを被覆するコアカバーシートとを含み、
前記コアカバーシートは、前記吸液性コアの前記肌対向面側の少なくとも一部を被覆し、第１パルプ繊維を含む第１コアカバーシートと、前記吸液性コアの前記非肌対向面側の少なくとも一部を被覆し、第２パルプ繊維を含む第２コアカバーシートとを有し、
前記第２パルプ繊維のカッパ価が、前記第１パルプ繊維のカッパ価よりも小さいことを特徴とする吸収性物品。
【請求項２】
前記第１パルプ繊維のカッパ価が８〜４０であり、
前記第２パルプ繊維のカッパ価と、前記第１パルプ繊維のカッパ価との差が２．４以上である請求項１に記載の吸収性物品。
【請求項３】
前記第２パルプ繊維のカッパ価と、前記第１パルプ繊維のカッパ価との差が７．２以上である請求項２に記載の吸収性物品。
【請求項４】
前記第１コアカバーシートは、前記吸液性コアの前記非肌対向面と前記第２コアカバーシートとの間に位置する両側縁部を有する請求項１〜３のいずれかに記載の吸収性物品。
【請求項５】
横方向と縦方向とを有し、
前記両側縁部の前記横方向の寸法の合計は、前記吸液性コアの前記横方向の寸法の１／３よりも小さい請求項４に記載の吸収性物品。
【請求項６】
前記吸液性コアの両側縁の前記横方向の外側に、前記第１コアカバーシートが厚さ方向において重なっている請求項５に記載の吸収性物品。
【請求項７】
横方向と縦方向とを有し、
前記第１コアカバーシートの両側縁および前記第２コアカバーシートの両側縁は、前記吸液性コアの両側縁よりも前記横方向の外側へ延出し、
前記吸液性コアの両側縁の前記横方向の外側において、前記第１コアカバーシートと前記第２コアカバーシートとが接合してある請求項１または２に記載の吸収性物品。
【請求項８】
前記第１コアカバーシートと前記第２コアカバーシートとの接合部の長さ寸法が５０ｍｍ以下である請求項７に記載の吸収性物品。
【請求項９】
排泄物の有無を前記裏面シートの外側から識別可能なインジケータが、前記吸液性コアの前記非肌対向面側に位置し、
前記インジケータと前記第２コアカバーシートとが厚さ方向において重なっている請求項１〜８のいずれかに記載の吸収性物品。
【請求項１０】
前記表面シートと前記第１コアカバーシートとの間に別部材が位置する請求項１〜９のいずれかに記載の吸収性物品。
【請求項１１】
前記表面シートは、前記縦方向へそれぞれ延びて前記横方向において交互に配置してある凸部と凹部とを有し、
前記凹部が前記吸収体に接触している一方、前記凸部が前記吸収体から離れている請求項１〜１０のいずれかに記載の吸収性物品。
【請求項１２】
前記吸液性コアは、前記縦方向の中央において、前記吸液性コアの前記横方向の寸法が小さい幅狭域を有し、
前記裏面シートにおける前記幅狭域と重なる部位が着色部を有する請求項１〜１１のいずれかに記載の吸収性物品。
【発明の詳細な説明】
【技術分野】
【０００１】
この発明は、吸収性物品に関し、より詳しくは、軽失禁パッド、パンティライナ、生理用ナプキン、おりもの吸収用パッド、尿吸収パッド、大人用及び子供用の使い捨ておむつ等の吸収性物品に関する。
【背景技術】
【０００２】
従来、ティシュ等の紙を漂白しないで使用することは公知である。例えば、特許文献１には、ティシュペーパー等を漂白しないで使用することが開示されている。
【先行技術文献】
【特許文献】
【０００３】
【特許文献１】特表２０１１−５０５５０５号公報
【発明の概要】
【発明が解決しようとする課題】
【０００４】
ところで、近年、おむつ等の吸収性物品に関して、使用者または介護者の健康に対する意識が高まり、より安全な物の使用する志向、オーガニック等の天然素材を使用する志向が高まり、それらの志向を満たした吸収性物品の開発が望まれている。
【０００５】
そこで、おむつにおいて、吸液性コアを被覆するコアカバーシートに、漂白をしないティシュを用いることが考えられる。
【０００６】
しかしながら、おむつに、漂白をしないティシュを用いると、このティシュが薄茶色であって、尿の色に似ているため、介護等を行う第三者が、排尿が分かりにくくなるおそれがあり、排尿をしていないにもかかわらず、排尿をしていると考えておむつを交換してしまうおそれがある。
【０００７】
そこで、本発明は、吸収性物品に使用する化学物質を可及的に減少させることができ、第三者が排泄を間違うおそれのない吸収性物品を提供することを課題とする。
【課題を解決するための手段】
【０００８】
本発明は、肌対向面側に位置する透液性の表面シートと、非肌対向面側に位置する不透液性の裏面シートと、表面シートと裏面シートとの間に位置する吸収体とを含む吸収性物品に関する。
【０００９】
本発明に係る吸収性物品は、吸収体が、吸液性コアと、吸液性コアを被覆するコアカバーシートとを含み、コアカバーシートは、吸液性コアの肌対向面側の少なくとも一部を被覆し、第１パルプ繊維を含む第１コアカバーシートと、吸液性コアの非肌対向面側の少なくとも一部を被覆し、第２パルプ繊維を含む第２コアカバーシートとを有し、第２パルプ繊維のカッパ価が、第１パルプ繊維のカッパ価よりも小さいことを特徴とする。
【００１０】
吸収性物品において、第１パルプ繊維のカッパ価が８〜４０であり、第２パルプ繊維のカッパ価と、第１パルプ繊維のカッパ価との差が２．４以上である。このため、第１コアカバーシートの第１パルプ繊維は、比較的にリグニン成分が多いため、化学物質をより減少させることができる。
【００１１】
吸収性物品において、第２パルプ繊維のカッパ価と、第１パルプ繊維のカッパ価との差が７．２以上である。このため、吸収体の肌対向面を、木材由来の色合いにすることができ、天然素材を使用したナチュラル志向の高い物品であるとの印象を与えることができる。
【００１２】
吸収性物品において、第１コアカバーシートは、吸液性コアの非肌対向面と第２コアカバーシートとの間に位置する両側縁部を有する。このため、肌対向面から視認できる第１コアカバーシートの面積を可及的に減少させて白色の面積を広くでき、使用者に清潔性がある物品であるとの印象を与えることができる。
【００１３】
吸収性物品は、横方向と縦方向とを有し、両側縁部の前記横方向の寸法の合計は、吸液性コアの前記横方向の寸法の１／３よりも小さい。このため、非肌対向面から第２コアカバーシートを視認することができ、排尿の有無を間違えることを防止することができる。
【００１４】
吸収性物品において、吸液性コアの両側縁の横方向の外側に、第１コアカバーシートが厚さ方向において重なっている。このため、吸液性コアの両側縁の茶色を濃くすることができ、使用者に吸液性コアの位置を認識させることができる。
【００１５】
吸収性物品は、横方向と縦方向とを有し、第１コアカバーシートの両側縁および第２コアカバーシートの両側縁は、吸液性コアの両側縁よりも横方向の外側へ延出し、吸液性コアの両側縁の横方向の外側において、第１コアカバーシートと第２コアカバーシートとが接合してある。このため、肌対向面側から視た第１コアカバーシートの視認できる面積を可及的に広くして、木材由来の色合いを有する部分を大きくでき、天然素材を使用したナチュラル志向の高い物品であるとの印象を与えることができる。
【００１６】
吸収性物品において、第１コアカバーシートと第２コアカバーシートとの接合部の長さ寸法が５０ｍｍ以下である。このため、ホットメルト接着剤等の接合剤の使用を可及的に減少させ、資材が無駄になることを抑えることができる。
【００１７】
吸収性物品において、排泄物の有無を裏面シートの外側から識別可能なインジケータが、吸液性コアの非肌対向面側に位置し、インジケータと第２コアカバーシートとが厚さ方向において重なっている。インジケータの周囲の第２コアカバーシートが白色であるため、排尿の有無を間違えることを防止することができる。
【００１８】
吸収性物品は、表面シートと第１コアカバーシートとの間に別部材が位置する。このため、第１コアカバーシートによって、使用者に別部材の位置を把握させることができる。
【００１９】
吸収性物品において、表面シートは、縦方向へそれぞれ延びて横方向において交互に配置してある凸部と凹部とを有し、凹部が吸収体に接触している一方、凸部が吸収体から離れている。このため、凸部では、第１コアカバーシートの茶色を薄くすることができ、使用者に清潔性がある物品であるとの印象を与えることができる。
【００２０】
吸収性物品において、吸液性コアは、縦方向の中央において、吸液性コアの前記横方向の寸法が小さい幅狭域を有し、裏面シートにおける幅狭域と重なる部位が着色部を有する。このため、幅狭域の外側における第１コアカバーシートが、非肌対向面側から視認されることを防止でき、使用者に清潔性がある物品であるとの印象を与えることができる。
【発明の効果】
【００２１】
本発明に係る吸収性物品によれば、第２コアカバーシート２２ｂの第２パルプ繊維のカッパ価が、第１コアカバーシートのパルプ繊維のカッパ価よりも小さく、第１コアカバーシートは未漂白パルプ繊維を多く含む。よって、未漂白パルプ繊維は、化学物質の使用が少ないため、化学物質の使用を減少させた吸収性物品を提供することができる。しかも、非肌対向面側に位置する第２コアカバーシートは、カッパ価が小さい白色であるため、排泄の有無を間違えるおそれを減少することができる。
【図面の簡単な説明】
【００２２】
【図１】本発明の吸収性物品の一例として示す、使い捨ておむつの斜視図。
【図２】サイドシーム部を剥離して縦方向および横方向に伸展した状態のおむつを肌対向面から見た一部破断展開平面図。
【図３】図２のＩＩＩ−ＩＩＩ線断面図。
【図４】吸収体の平面図。
【図５】（ａ）図４のＶ（ａ）線で囲んだ領域の一部拡大図。（ｂ）図４のＶ（ｂ）線で囲んだ領域の一部拡大図。
【図６】第２実施形態のおむつの図２と同様の一部破断展開平面図。
【図７】表面シートの斜視図。
【図８】図６のＶＩＩＩ−ＶＩＩＩ線断面図。
【図９】第３実施形態のおむつの図２と同様の一部破断展開平面図。
【図１０】図９のＸ−Ｘ線断面図。
【図１１】第２実施形態のおむつの図２と同様の一部破断展開平面図。
【図１２】本発明の吸収性物品の一例として示す、生理用ナプキンの平面図。
【発明を実施するための形態】
【００２３】
下記の実施の形態は、添付の図面に示す使い捨て吸収性物品に関し、発明の不可欠な構成ばかりではなく、選択的及び好ましい構成を含む。
【００２４】
＜第１実施形態＞
以下に添付の図面を参照して、この発明に係る吸収性物品の一例である使い捨ておむつ１を説明する。使い捨ておむつ１は、互いに交差（直交）する横方向Ｘと、縦方向Ｙと、厚さ方向Ｚとを有する。
【００２５】
図１〜３を参照すると、使い捨ておむつ１は、その幅方向における寸法を２等分する縦中心線及びその長さ方向における寸法を２等分する横中心線とを有し、肌対向面（内面）及びその反対側の非肌対向面と、ウエスト回り方向へ延びる環状の弾性ウエストパネル２と、弾性ウエストパネル２の肌対向面側に取り付けられた吸収シャーシ３と、前ウエスト域４と、後ウエスト域５と、前後ウエスト域４，５間に位置するクロッチ域６とを含む。
【００２６】
弾性ウエストパネル２は、ウエスト回り方向へ伸縮する弾性ベルト機能を有し、前ウエスト域４を形成する前ウエストパネル７と、後ウエスト域５を形成する後ウエストパネル８とを含む。
【００２７】
前ウエストパネル７は、内端縁７ａと、外端縁７ｂと、外端縁７ｂから縦方向Ｙの内方へ延びる第１両側縁（前ウエスト域の両側縁）７ｃ，７ｄと、第１両側縁７ｃ，７ｄから縦方向Ｙの内方へ斜めに延びる第２両側縁７ｅ，７ｆとによって画定された略台形状を有する。
【００２８】
後ウエストパネル８は、内端縁８ａと、外端縁８ｂと、外端縁８ｂから縦方向Ｙの内方へ延びる第１両側縁（後ウエスト域５の両側縁）８ｃ，８ｄと、第１両側縁８ｃ，８ｄから縦方向Ｙの内方へ斜めに延びる第２両側縁８ｅ，８ｆとによって画定された略台形状を有する。
【００２９】
互いに対向する前ウエストパネル７の両側縁７ｃ，７ｄと後ウエストパネル８の第１両側縁８ｃ，８ｄとは、互いに重ね合わされ、縦方向Ｙへ断続的に並ぶサイドシーム９によって連結（例えば、熱エンボス加工、ソニック等による各種の熱溶着手段によって連結）され、ウエスト開口１０と一対のレッグ開口１１とが画定される。
【００３０】
前後ウエストパネル７，８は、それぞれ、肌対向面側に位置する内層シート（内面シート）１２，１３と、非肌対向面側に位置する外層シート（外面シート）１４，１５とを含む。内外層シート１２〜１５は、質量１０〜３０ｇ／ｍ２のＳＭＳ（スパンボンド・メルトブローン・スパンボンド）繊維不織布、スパンボンド繊維不織布若しくはエアスルー繊維不織布、または、プラスチックシート、開孔プラスチックシート及びそれらのラミネートシートなどを用いることができる。
【００３１】
前後ウエストパネル７，８の内層シート１２，１３と外層シート１４，１５との間には、ストリング状又はストランド状の複数条の前後ウエスト弾性体（弾性部材）１６，１７が横方向Ｘへ伸縮可能にそれぞれ配設されており、前後ウエストパネル７，８は少なくとも横方向Ｘへ弾性化されている。
【００３２】
前後ウエスト弾性体１６，１７は、それぞれ、吸収シャーシ３と重なる前後ウエスト域４，５の中央部においてその一部が切断又は除去されており、前後非伸縮域１８，１９が画定される。このように、前後非伸縮域１８，１９が前後ウエスト域４，５の中央部に位置することから、前後ウエストパネル７，８の内面に位置する吸収シャーシ３の中央部（吸液性コアの中央部）に前後ウエスト弾性体１６，１７の収縮力が直接作用されてギャザー等が形成されないので、その収縮力が作用することによる吸収性能の低下を抑制することができる。
【００３３】
前後ウエスト弾性体１６，１７としては、例えば、繊度が４７０〜１２４０ｄｔｅｘであって，１．５〜３．５倍に伸長された状態で配設されたストリング状又はストランド状の弾性材料を用いることができる。前後ウエスト弾性体１６，１７の繊度、伸長倍率、各弾性体間の離間寸法（ピッチ）等の条件は適宜変更することが可能である。
【００３４】
前ウエスト域４の内外層シート１２，１４と後ウエスト域５の内外層シート１３，１５とは、それらの内面にホットメルト接着剤は塗布されておらず、サイドシーム９による接合部分を除き、それぞれ、前後ウエスト弾性体１６，１７に塗布されたホットメルト接着剤を介してのみ互いに接合される。ホットメルト接着剤は、前後ウエスト弾性体１６，１７の全周において、内外層シート１２〜１５と対向する部分に塗布されていればよい。
【００３５】
図２及び３を参照すると、吸収シャーシ３は、肌対向面側に位置する透液性の表面シート３１と、非肌対向面側に位置する不透液性の裏面シート３２と、これらの両シート３１，３２の間に位置し、縦方向Ｙにおける中央部が幅狭状の吸液性を有する吸収体２０とを含む。表面シート３１と吸収体２０とは、ホットメルト接着剤等の公知の接合手段によって互いに接合され、吸液層３０が形成される。また、吸収体２０と裏面シート３２との間において、尿等の排泄物の漏れを抑制するため、好ましくは通気性を有する不透液性の防漏シート３６を配置してある。防漏シート３６の横方向Ｘの寸法及び縦方向Ｙの寸法は、吸液性コア２１の横方向Ｘの寸法及び縦方向Ｙの寸法よりも大きく、吸液性コア２１の非肌対向面の全域を防漏シート３６で被覆している。
【００３６】
裏面シート３２は、吸収体２０の両側縁から横方向Ｘの外側に位置する両側部３４を有する。両側部３４は、縦方向Ｙへ延びる折曲ライン３５に沿って肌対向面側へ折り曲げられ、表面シート３１に固定されて縦方向Ｙへ互いに離隔する両端固定部３３と、表面シート３１の両側縁部に固定され、横方向Ｘの外側に位置する近位縁部３７と、両端固定部３３の間において縦方向Ｙへ延び、かつ近位縁部３７と平行する遠位縁部（自由縁部）３８とを有する。
【００３７】
遠位縁部３８は、裏面シート３２の横方向Ｘの外側の縁部を折り曲げて固定することによって形成したスリーブ状をなし、縦方向Ｙへ延びるストリング状またはストランド状のカフ弾性体２８が伸長状態で収縮可能な態様で裏面シート３２に固定してある。カフ弾性体２８が収縮することによって、遠位縁部３８が表面シート３１から離れ、着用者の大腿部に遠位縁部３８が接触して防漏カフを形成し、防漏カフが排泄物の漏れを防止する。裏面シート３２の両側部３４において、カフ弾性体２８の横方向Ｘの外側には、縦方向Ｙへ延びるストリング状またはストランド状のレッグ弾性体２９が伸長状態で収縮可能な態様で裏面シート３２に固定してある。レッグ弾性体２９が収縮することによって、裏面シート３２の両側部３４が着用者の大腿部に接触する。
【００３８】
表面シート３１には、透液性を有する各種の繊維不織布、例えば、質量約１５〜４５ｇ／ｍ２のエアスルー繊維不織布、多孔プラスチックフィルム、それらのラミネートシート等から形成することができる。また、裏面シート３２は、不透液性及び透湿性のプラスチックフィルム、不透液性の繊維不織布、それらのラミネートシート等から形成することができる。
【００３９】
図３および図４を参照すると、吸収体２０は、超吸収性ポリマー粒子（ＳＡＰ）とフラッフ木材パルプ、レーヨン繊維等のセルロース系繊維とを混合して所定の形状に賦型した吸液性コア２１と、その保形性及び液拡散性の向上のために吸液性コア２１全体を包被する透液性のコアカバーシート２２とを有する。
【００４０】
吸液性コア２１は、縦方向Ｙの両端部に位置して横方向Ｘの寸法が一定である幅広域２１ｃと、縦方向Ｙの中央に位置して幅広域よりも横方向Ｘの寸法が小さい幅狭域２１ｄとを有している。おむつ１の着用状態において、幅狭域２１ｄが脚の付け根に位置し、脚を動かす際に剛性の大きい吸液性コア２１の両側縁２１ａ，２１ｂに脚が当たるのを防止することができる。また、図示省略するが、裏面シート３２は、この幅狭域２１ｄと重なる部位に着色部を有し、幅狭域２１ｄの外側における第１コアカバーシート２２ａが、非肌対向面側から視認されることを防止でき、使用者に清潔性がある物品であるとの印象を与えることができる。
【００４１】
コアカバーシートは、吸液性コア２１の肌対向面側に位置し、第１パルプ繊維を含む第１コアカバーシート２２ａと、吸液性コア２１の非肌対向面側に位置し、第２パルプ繊維を含む第２コアカバーシート２２ｂとを有する。
【００４２】
第１および第２コアカバーシート２２ａ，２２ｂは、横方向Ｘの寸法が吸液性コアの横方向Ｘの寸法よりも大きく、吸液性コア２１の全体を包被している。吸液性コア２１の横方向Ｘの外側において、第１及び第２コアカバーシートが互いに接触するように積層され、接触した部分においてホットメルト接着剤等の公知の接合手段によって接合してある。
【００４３】
第１および第２コアカバーシート２２ａ，２２ｂは、各種公知の繊維不織布又はティッシュから形成されており、主としてパルプ繊維から構成されている。第１コアカバーシート２２ａは、脱リグニン処理がなされていない未漂白パルプ繊維（第１パルプ繊維）４２を多く含んでいる。第２コアカバーシート２２ｂは、脱リグニン処理がなされた漂白パルプ繊維（第２パルプ繊維）４１を多く含んでいる。パルプ繊維は、針葉樹又は広葉樹を原料として得られる木材パルプ繊維のほかに、リンター、マニラ麻、ケナフ、藁、竹、バナナを原材料とする非木材パルプ繊維を含む。
【００４４】
パルプ繊維は、一般的に、原料チップ処理工程を経た後に、原料チップに薬品を加えて高温・高圧下で煮沸してリグニンを蒸解する蒸解工程（脱リグニン処理の第１段階）、パルプ中の異物を除去するスクリーン工程、蒸解工程において残存したリグニンを酸素で分解する酸素晒し工程（脱リグニン処理の第２段階）、複数種類の薬品を使用してパルプを漂白する漂白工程を経ることによって、漂白された漂白パルプ繊維４１となる。未漂白パルプ繊維４２は、これらの各工程のうち、例えば、脱リグニン処理の第１段階である蒸解工程とスクリーン工程のみを経たものであって、一定程度の脱リグニン処理を施されたものである。本発明に係る未漂白パルプ繊維４２のリグニン含有率は０．２〜１０．０％である。
【００４５】
未漂白パルプ繊維４２と漂白パルプ繊維４１とのリグニン含有率は、以下の方法によって測定した。
【００４６】
＜リグニン含有率の測定方法＞
ＡＤＦの定量
試薬：  酸性デタージェント溶液  ＜セチルトリメチルアンモニウムブロミド（ヘキサデシルトリメチルアンモニウムブロミド）１０ｇを５００ｍＬの１Ｎ硫酸に溶かしたもの＞
アセトン
消泡剤としてデカヒドロナフタレン（オプション）
＜測定手順＞
サンプル３００ｇを秤量し、５０ｍＬ三角フラスコに入れ、酸性データジェンと溶液を３０ｍＬ加えた。アルミホイルで蓋をして、沸騰水中に三角フラスコを入れて、６０分間分解した。分解後、ガラス繊維濾紙（ＧＡ−２００）を敷いたグーチルツボに移して吸引濾過し、残査を熱水とアセトンで洗滌した。風乾した後、熱乾燥した。なお、乾燥後恒量し、灰分を差し引いたものの重さがＡＤＦであるが、リグニン定量後の灰分をこれに用いることはできない。
リグニン定量
試薬：  ７２％硫酸
＜測定手順＞
上記で乾燥させたグーチルツボに７２％硫酸を数滴垂らして全体を湿らせた後、ＡＤＦ量の約２倍の硫酸を加え、一時間毎に硫酸を適宜加えながら３−４時間放置した。その後吸引濾過し、熱水で炉液が酸性を示さなくなるまで洗滌した。風乾した後、熱乾燥して恒量する。グーチルツボを５５０℃で灰化し、灰分を求めた。
【００４７】
第１コアカバーシート２２ａは、比較的にリグニン成分の含有率が低い低リグニン域（リグニン低含有域）５１と、低リグニン域５１よりもリグニン成分の含有率が高い高リグニン域（リグニン高含有域）５２とを有する。低リグニン域５１は、主として漂白パルプ繊維４１が集合して形成されており、高リグニン域５２は、主として未漂白パルプ繊維４２が集合して形成されている。第１コアカバーシート２２ａの平面視において、低リグニン域５１は、比較的に第１コアカバーシート２２ａの外表面の広い範囲に位置する周辺域であるのに対して、高リグニン域５２は、低リグニン域５１に対して散在するように配置されている。また、かかる配置態様を有することから、第１コアカバーシート２２ａは、低リグニン域５１を海、高リグニン域５２を島とする海島構造を有するともいえる。また、第２コアカバーシート２２ｂは、例えば、漂白パルプ繊維４１のみによって形成してある。
【００４８】
第１コアカバーシート２２ａは、未漂白パルプ繊維４２を多く含むため、全体的に木材等の植物原料由来の薄茶色を有する。第２コアカバーシート２２ｂは、未漂白パルプ繊維４２を含まずに漂白パルプ繊維４１のみを含むため、白色を有する。また、第１及び第２コアカバーシート２２ａ，２２ｂ以外の他のシート３１，３２は、構成繊維に二酸化チタン等の白色顔料を練り込まれることによって全体的に白色を有することから、第１コアカバーシート２２ａは、おむつ１の内面視において、他のシート３１，３２から透過して容易に視認される。一方、第２コアカバーシート２２ｂは全体的に白色を有するため、おむつ１の外面視において、他のシート３１，３２と区別して視認することは困難である。
【００４９】
第１コアカバーシート２２ａは、その抄紙工程において、漂白パルプ繊維４１と未漂白パルプ繊維４２との混合物を絡合させてシート状に形成したものであって、低リグニン域５１は主として漂白パルプ繊維４１、高リグニン域５２は主として未漂白パルプ繊維４２が配置されてなるものであるから、両域５１，５２の境界は不明瞭なものであって、明確に区分できるものではない。また、第１コアカバーシート２２ａの外表面全体において、低リグニン域５１内に高リグニン域５２を散在的に形成する方法としては、例えば、各パルプ繊維４１，４２の混合方法、混合率、製造時の搬送コンベアの搬送速度、コンベア上に複数のノズルから噴射される空気を介してパルプ繊維を堆積させる際のノズル径、吹付空気の風量、風速等を適宜調整することが考えられる。
【００５０】
製造工程における諸条件を調整することによって、両域５１，５２を形成するものであるから、低リグニン域５１の一部に未漂白パルプ繊維４２、高リグニン域５２に漂白パルプ繊維４１がそれぞれ含まれることもあるといえる。したがって、低リグニン域５１と高リグニン域５２とは、それぞれ、漂白パルプ繊維４１、未漂白パルプ繊維４２のみから形成されるものではない。
【００５１】
高リグニン域５２は、第１コアカバーシート２２ａにおける周辺域である低リグニン域５１よりもリグニン成分の含有量が低い領域を意味することから、漂白パルプ繊維４１と未漂白パルプ繊維４２とを混在したシートを用いなくても形成することができる。例えば、レーヨン繊維や合成繊維からなる繊維不織布シートにリグニン成分の含有液を散点的に滲入させることによって、周辺域よりもリグニン成分の含有量の高い高リグニン域５２を形成することができる。
【００５２】
第１コアカバーシート２２ａは、主として未漂白パルプ繊維４２からなる複数の高リグニン域５２を有することから、漂白パルプ繊維４１のみからなる第２コアカバーシート２２ｂに比べて、表面視において、植物原料由来の薄茶色（ウッド色）を有し、着用者又は着用補助者に対して、天然材料を使用した肌に優しい製品であるとのイメージを与えることができる。また、第１コアカバーシート２２ａが薄茶色を有することから、排泄された尿（排泄物）が表面シート３１を透過して、吸収体２０に吸収、保持されたときに、尿の黄色が抑制される。それによって、尿の色を直接的に視認することによる嫌悪感を抑えることができる。加えて、リグニン成分は抗菌作用を有することから、使用後の雑菌の繁殖を抑えて衛生的に廃棄処理することができる。
【００５３】
漂白パルプ繊維４１および未漂白パルプ繊維４２は、リグニン含有率がそれぞれ異なることによって、カッパ価がそれぞれ異なる。未漂白パルプ繊維４２は、リグニン含有率が大きいため、カッパ価が大きい一方、漂白パルプ繊維４１は、リグニン含有率が小さいため、カッパ価が小さい。このため、両者を比較すると、漂白パルプ繊維４１のカッパ価が、未漂白パルプ繊維４２のカッパ価よりも小さい。漂白パルプ繊維４１のカッパ価は、１〜２である。未漂白パルプ繊維４２のカッパ価は、８〜４０である。なお、カッパ価の試験方法はＪＩＳ８２１１による。
【００５４】
このおむつ１によれば、第２コアカバーシート２２ｂの漂白パルプ繊維４１のカッパ価が、第１コアカバーシート２２ａの未漂白パルプ繊維４２カッパ価よりも小さく、第１コアカバーシート２２ａは未漂白パルプ繊維４２を多く含む。よって、未漂白パルプ繊維４２は、化学物質の使用が少ないため、化学物質の使用を減少させた吸収性物品を提供することができる。しかも、非肌対向面側に位置する第２コアカバーシート２２ｂのパルプ繊維のカッパ価が小さく白色であるため、排泄の有無を間違えるおそれを減少することができる。
【００５５】
本発明において、シートのパルプ繊維のカッパ価Ｋに関して、単位重量あたり未漂白パルプ繊維４２のカッパ価Ｋ１と、単位重量あたりの漂白パルプ繊維４２のカッパ価Ｋ２とを求め、それらの和（すなわちＫ＝Ｋ１＋Ｋ２）をシートのパルプ繊維のカッパ価としてある。表１の最上欄のシートａは、未漂白パルプ繊維４２の割合が０．０であり、漂白パルプ繊維４１の割合が１．０でシートを形成すると（換言すると、漂白パルプ繊維４１のみでシートを形成すると）、そのシートのパルプ繊維のカッパ価が１．０であることを意味する。表１の最下欄のシートｋは、未漂白パルプ繊維４２の割合が２５．０であり、漂白パルプ繊維４１の割合が０．０でシートを形成すると（換言すると、未漂白パルプ繊維４２のみでシートを形成すると）、そのシートのパルプ繊維のカッパ価が２５．０であることを意味する。表１の上から二番目の欄のシートｂは、単位重量あたりの未漂白パルプ繊維４２のカッパ価Ｋ１が２．５であり、単位重量あたりの漂白パルプ繊維４１のカッパ価が０．９であるため、シートのパルプ繊維のカッパ価が３．４となる。
【００５６】
【表１】
2020000714.tif 000003
【００５７】
吸液性コアと第１コアカバーシートと防漏シートと裏面シートとをこの順に積層し、裏面シート側から肉眼で視たとき、薄茶色が視えるか否かの評価実験を行った。シートｄ〜シートｋは、被験者が薄茶色であることを視認でき、シートａ〜シートｃは、被験者が白色であることを視認できた。よって、第１コアカバーシート２２ａのパルプ繊維のカッパ値は、８．２より大きいことが好ましい。さらに、漂白工程を適宜バイパスすることによって、未漂白の程度を大きくし、パルプ繊維のカッパ値が４０．０のシートであれば、違和感のない茶色のシートとなることが明らかとなっているため、カッパ値は、４０．０より小さいことが好ましい。
【００５８】
また、漂白パルプ繊維４１のみで形成したコアカバーシート２２のパルプ繊維のカッパ価は、１．０である。このため、第２コアカバーシート２２ｂに、表１のシートａを用い、かつ、第１コアカバーシート２２ａにシートｄを用いると、シートｄのパルプ繊維のカッパ価が８．２であるため、両者の差は、７．２となる。また、第１コアカバーシート２２ａにシートｄを用いると、シートｄのパルプ繊維のカッパ価が８．２であり、第２コアカバーシート２２ｂにシートｃを用いると、シートｃのパルプ繊維のカッパ価が５．８であるため、両者の差は２．４となる。これらの結果によって、第１コアカバーシート２２ａのパルプ繊維のカッパ価が８〜４０であって、第２コアカバーシート２２ｂのパルプ繊維のカッパ価と、第１コアカバーシート２２ａのパルプ繊維のカッパ価との差が２．４以上であることが好ましい。より好適には、第１コアカバーシート２２ａのパルプ繊維のカッパ値が８〜４０であって、第２コアカバーシート２２ｂのパルプ繊維のカッパ値と、第１コアカバーシート２２ａのパルプ繊維のカッパ値との差が７．２であることが好ましい。これらのシートを用いる理由としては、非肌対向面側に位置する第２コアカバーシート２２ｂに白色のシートを使用し、使用者および介護者に清潔感のある製品であるとの印象を与えることができるため、少なくともシートｃ、より好適にはシートａを用いるのが好ましい。また、肌対向面側に位置する第１コアカバーシート２２ａに薄茶色のシートを使用し、天然素材を使用したナチュラル志向の高い物品であるとの印象を与えることができるため、少なくともシートｄを用いることが好ましい。
【００５９】
漂白パルプ繊維４１の割合［％］と未漂白パルプ繊維４２の割合［％］とを変化させて形成したシートのＬａｂ表色系におけるＬ値、ａ値、ｂ値、ΔＥ値を表２に示す。測定器および測定方法は、後述と同一である。
【００６０】
【表２】
2020000714.tif 000004
【００６１】
また、表２のシートを被験者に見せ、そのシートが薄茶色であるか否かの評価実験をした。すると、シートＤでは、被験者の大部分が薄茶色であることを認識でき、シートＥでは、ほとんどの被験者が薄茶色であることを認識できた。
【００６２】
このため、第１コアカバーシート２２ａを肌対向面側から視たＬａｂ表色系におけるＬ値、ａ値、およびｂ値が、
８２．８１≦前記Ｌ値≦９２．５３
−０．２４≦前記ａ値≦１．５７
９．０８≦前記ｂ値≦１７．８７
のいずれの条件も満たすことが好ましい。
【００６３】
また、後述する実験結果より、第１コアカバーシート２２ａを含む吸収体を肌対向面側から視たＬａｂ表色系におけるＬ値、ａ値、およびｂ値が、
７０．００≦前記Ｌ値≦９０．００
０．５０≦前記ａ値≦１０．００
７．００≦前記ｂ値≦１５．００
のいずれの条件も満たすことが好ましい。
【００６４】
また、図３および図４に示すように、第１コアカバーシート２２ａの両側縁２２ｃ，２２ｄおよび第２コアカバーシートの両側縁部２２ｅ，２２ｆは、吸液性コア２１の両側縁２１ａ，２１ｂよりも横方向の外側へ延出し、吸液性コア２１の両側縁２１ａ，２１ｂの横方向Ｘの外側において、第１コアカバーシート２２ａと第２コアカバーシート２２ｂとが接合部２７で接合してある。このため、肌対向面側から視た第１コアカバーシート２２ａの視認できる面積を可及的に広くして、木材由来の色合いを有する部分を大きくでき、天然素材を使用したナチュラル志向の高い物品であるとの印象を与えることができる。さらに、第１コアカバーシート２２ａの横方向Ｘの寸法よりも第２コアカバーシート２２ｂの横方向Ｘの寸法が大きく、第１コアカバーシート２２ａの全域が第２コアカバーシート２２ｂで覆われるため、非肌対向面側からおむつ１を視ると、第１コアカバーシート２２ａの薄茶色を視認することが困難であり、第三者に、清潔感のある物品であるとの印象を与えることができる。
【００６５】
さらに、接合部２７の長さ寸法が５０ｍｍ以下である。このため、ホットメルト接着剤等の接合剤の使用を可及的に減少させ、資材が無駄になることを抑えることができる。
【００６６】
＜第２実施形態＞
図６は、第２実施形態に係るおむつ１の図２と同様の展開平面図であり、図７は、そのおむつ１の吸収体２０に用いられる表面シート３１ａの斜視図であり、図８は、図６のＶＩＩＩ−ＶＩＩＩ線断面図である。本実施形態に係るおむつ１の基本構成は、第１実施形態のおむつ１と同様であるので、相違する点についてのみ以下に説明する。
【００６７】
表面シート３１ａは、縦方向Ｙへそれぞれ延びて横方向Ｘにおいて交互に配置してある凸部６１と凹部６２とを有し、凹部６２が吸収体２０に接触している一方、凸部６１が吸収体２０から離れている。このため、凸部６１では、第１コアカバーシート２２ａの茶色を薄くすることができ、使用者に清潔性がある物品であるとの印象を与えることができる。
【００６８】
また、第１コアカバーシート２２ａは、吸液性コア２１の非肌対向面と第２コアカバーシート２２ｂとの間に位置する両側縁部２２ｃ，２２ｄを有する。このため、肌対向面から視認できる第１コアカバーシート２２ａの面積を可及的に減少させて白色の面積を広くでき、使用者に清潔性がある物品であるとの印象を与えることができる。
【００６９】
さらに、第１コアカバーシート２２ａの両側縁部のうちの一方の側縁部２２ｃの横方向Ｘの寸法Ｗ１と、他方の側縁部２２ｄの横方向Ｘの寸法Ｗ２との合計Ｗ３は、吸液性コア２１の横方向Ｘの寸法Ｗ４の１／３よりも小さい。このため、非肌対向面から第２コアカバーシート２２ｂを視認することができ、排尿の有無を間違えることを防止することができる。
【００７０】
また、図示省略するが、吸液性コア２１の両側縁２１ａ，２１ｂの横方向Ｘの外側において、第１コアカバーシート２２ａが厚さ方向Ｚに重なるようにしてもよい。このようにすれば、吸液性コア２１の両側縁２１ａ，２１ｂの茶色を濃くすることができ、使用者に吸液性コア２１の位置を認識させることができる。
【００７１】
＜第３実施形態＞
図９は、第３実施形態に係るおむつ１の図２と同様の展開平面図であり、図１０は、図９のＸ−Ｘ線断面図である。本実施形態に係るおむつ１の基本構成は、第１実施形態のおむつ１と同様であるので、相違する点についてのみ以下に説明する。
【００７２】
このおむつ１は、表面シート３１と第１コアカバーシート２２ａとの間に別部材である中間シート３４が位置する。中間シート３４は、漂白パルプ繊維で構成してあるか、若しくは構成繊維に二酸化チタン等の顔料を練り込み、白色である。このため、薄茶色の第１コアカバーシート２２ａによって、使用者に中間シート３４の位置を把握させることができる。
【００７３】
また、このおむつ１には、尿等の排泄物の有無を裏面シートの外側から識別可能なインジケータ７１が、吸液性コア２１の非肌対向面側に位置し、インジケータ７１と第２コアカバーシート２２ｂとが厚さ方向Ｚにおいて重なっている。インジケータ７１の周囲の第２コアカバーシート２２ｂが白色であるため、排尿の有無を間違えることを防止することができる。
【００７４】
おむつメーカーのインジケータのＬａｂ表色系におけるＬ値、ａ値、ｂ値、ΔＥ値を表３に示す。測定器および測定方法は後述と同じである。
【００７５】
【表３】
2020000714.tif 000005
【００７６】
表３に示すように、各社のインジケータのｂ値は、１５．８５〜２２．７２であって黄色である。また、本発明に使用するインンジケータ７１もこの範囲に含まれる。このおむつ１の第２コアカバーシート２２ｂは白色であるため、インジケータ７１の位置を容易に視認することができる。
【００７７】
＜第４実施形態＞
図１１は、第４実施形態に係るおむつ１の図２と同様の展開平面図である。本実施形態に係るおむつ１の基本構成は、第１実施形態のおむつ１と同様であるので、相違する点についてのみ以下に説明する。
【００７８】
このおむつ１の吸収体２０では、第１コアカバーシート２２ａと第２コアカバーシート２２ｂとの対向面間に高吸水性ポリマー粒子６３を介在させてある。吸収体２０は、高吸水性ポリマー粒子６３がホットメルト接着剤等の接合剤を介してシート２２ａ，２２ｂに固定してある第１接合域６４と、第１接合域６４の周囲に配置し、第１コアカバーシート２２ａと第２コアカバーシート２２ｂとを直接、ホットメルト接着剤等の接合剤を介し接合してある第２接合域６５とを有している。第１接合域６４は、縦方向Ｙへ間隔をあけて配置してあり、複数の第１接合域６４の間には第２接合域６５を配置してある。また、吸液性コア２１は、高吸水性ポリマー粒子６３のみによって形成してある。
【００７９】
＜第５実施形態＞
図１２は、本発明に係る吸収性物品の使用の一例を示すものであって、本実施例において、吸収体２０は、生理用ナプキン（吸収性物品）８０に使用されている。
【００８０】
生理用ナプキン８０は、肌対向面（内面）側及びその反対側の非肌対向面（外面）側と、凸曲状の第１及び第２端縁８０ａ，８０ｂと、横中心線Ｑの位置する中央部において凸曲する第１及び第２側縁８０ｃ，８０ｄと、肌対向面側に位置する透液性の表面シート３１と、非肌対向面側に位置する伸縮性かつ不透液性の裏面シート３２と、これら両シート３１，３２間に位置する吸液性の吸収体２０とを含む。
【００８１】
吸収体２０は、第１端縁１０ａと対向する第１端縁２０ａと第２端縁１０ｂと対向する第２端縁２０ｂと、第１及び第２端縁２０ａ，２０ｂ間において縦方向へ延びる第１及び第２側縁２０ｃ，２０ｄとを有する。表裏面シート３１，３２は、吸収体２０の外周から外方へ延出しており、表面シート３１の肌対向面側には、横方向Ｘにおいて互いに対向するように縦方向Ｙへ延びる一対のサイドシート８４が配置される。一対のサイドシート８４は、表面シート８１に公知の接着手段又は溶着手段からなるサイド接合部（図示せず）を介して接合される。
【００８２】
生理用ナプキン８０の縦方向Ｙの中央部分には、横方向Ｘの外側へ凸となる、両側縁部８７の一部によって形成されたウイング部８８が位置する。また、互いに積層されたシート３１，３２，８４は、ナプキン８０の外周縁に沿って位置する外周シール部８９を介して互いに接合されている。
【００８３】
また、コアカバーシート２２の全体が、木材等の植物原料由来の薄茶色であるため、表面シート１１を介して吸液性コア２１に人工経血を滴下（５ｍｌ）したとき、肌対向面側から視た経血吸収領域と、吸液性コア２１を含む経血非吸収領域とにおいて、Ｌ＊ａ＊ｂ表色系（Ｌ＊ａ＊ｂ色空間、以下、単に「Ｌａｂと省略する。」）のａ値、ｂ値及びＬ値を測定した。実施例１には、中間シートを有しておらず、第１コアカバーシート２２ａの単位面積当たりの質量が１４ｇ／ｍ２のナプキン１０を用い、実施例２には、中間シートを有しておらず、第１コアカバーシート２２ａの単位面積当たりの質量が２０ｇ／ｍ２のナプキン１０を用いた。さらに、これらの実施例１〜２と比較するため、リグニン成分を含む第１コアカバーシートとリグニン成分を含まない中間シートを有し、第１コアカバーシート２２ａの単位面積当たりの質量が１４ｇ／ｍ２の比較例１のナプキン、リグニン成分を含まない白色のコアカバーシートを用いてあって表面シートにコットンを用いてある比較例２のナプキン、及びリグニン成分を含まない白色のコアカバーシートを用いてあって表面シートにコットンを用いてない比較例３のナプキンにも、同様に、表面シートを介して吸液性コア２１に標準経血を滴下したとき、肌対向面側から視た経血吸収領域と経血非吸収領域とにおいて、Ｌａｂ表色系のａ値、ｂ値及びＬ値を測定してみた。その実験結果を表４〜表７に示す。なお、人工経血には、イオン水、グリセリン、カルボメチルセルロースナトリウム、塩化ナトリウム、炭酸水素ナトリウム、色素赤１０２号、色素赤２号、色素黄５号（各色素は、株式会社丸紅商会製）を適量混合したものを使用した。
【００８４】
（色差の測定方法について）
色差の測定は、日本電色工業株式会社製の色差計ＺＥ６０００（標準白板［Ｘ＝９３．１９，Ｙ＝９５．２０，Ｚ＝１１２．２８］、反射測定径３０ｍｍ）を用いてＪＩＳ  Ｚ  ８７２２に準拠して行った。測定は、サンプルごとに５回行い、測定値の平均値を各サンプルのＬ値、ａ値及びｂ値とした。
【００８５】
【表４】
2020000714.tif 000006
【００８６】
ａ値は、主として赤色と緑色に関するものであり、値が大きくなると赤色を帯び、値が小さくなると緑色を帯びる。負の数になると、より緑色が濃くなる。表４を参照すると、比較例２，３のナプキンでは、白色のコアカバーシートを用いてあるため、非吸収領域のａ値が負の数である一方、吸収領域のａ値が５０．０以上であるため、両者の差が大きく、吸収領域の赤色が目立つ。一方、実施例１〜２のナプキンでは、薄茶色の第１コアカバーシート２２ａを用いてあるため、非吸収領域のａ値が正の数である０．５以上であり、吸収領域のａ値が５０．０より小さいであるため、両者の差が５０以下であり、吸収領域の赤色が目立つのを抑えることができる。一方、比較例１のナプキンでは薄茶色のコアカバーシートを用いてあるため、非吸収領域のａ値が正の数であるものの、白色の中間シートを用いてあるため、吸収領域のａ値が５０を超えてしまう。このため、吸収領域の赤色が目立ってしまう。これらを考慮すると、非吸収領域のａ値は、０．５０≦ａ値≦１０．００であることが好ましい。また、吸収領域のａ値は、５０以下であることが好ましい。さらに、吸収領域と非吸収領域との差が５０以下であることが好ましい。ａ値に関して、実施例１，２のナプキンが好ましく、比較例１〜３のナプキンは好ましくない。
【００８７】
【表５】
2020000714.tif 000007
【００８８】
ｂ値は、主として黄色と青色に関するものであり、値が大きくなると黄色を帯び、値が小さくなると青色を帯びる。表５を参照すると、比較例２のナプキンでは、白色のコアカバーシートを用いてあるため、非吸収領域のｂ値が７よりも小さく、吸収領域のｂ値が２７を超え、両者の差が２０を超えてしまい、両者の差が大きく、吸収領域の黄色が目立つ。比較例３のナプキンでは、白色のコアカバーシートを用いてあるため、吸収領域のｂ値が２７を超え、両者の差が大きく、吸収領域の黄色が目立つ。一方、実施例１〜２のナプキンでは、薄茶色の第１コアカバーシート２２ａを用いてあるため、非吸収領域のｂ値が、７以上であって、１５以下であり、吸収領域のｂ値が３０以下であって、両者の差が２０以下であり、吸収領域の黄色が目立つのを抑えることができる。一方、比較例１のナプキンでは薄茶色のコアカバーシートを用いてあるものの、白色の中間シートを用いてあるため、非吸収領域のｂ値が７より小さい（ｂ値が０に近くなると青色を帯びる）。このため、吸収領域と非吸収領域との色の差が大きく、吸収領域の色が目立つのを抑えることができない。これらを考慮すると、非吸収領域のｂ値は、７．００≦ｂ値≦１５．００であることが好ましい。また、吸収領域のｂ値は、３０以下であることが好ましい。さらに、吸収領域と非吸収領域との差が２０以下であることが好ましい。ｂ値に関して、実施例１，２のナプキンが好ましく、比較例１〜３のナプキンは好ましくない。
【００８９】
Ｌ値は、色の明るさに関するものであり、値が大きくなると白色を帯び、値が小さくなると黒色を帯びる。表６を参照すると、Ｌ値に関しては、７０以上であって、９０以下であること（７０．００≦Ｌ値≦９０．００）が好ましい。Ｌ値に関して、実施例１，２のナプキンが好ましく、比較例１〜３のナプキンは好ましくない。
【００９０】
【表６】
2020000714.tif 000008
【００９１】
ところで、第１コアカバーシート２２ａの全体が、木材等の植物原料由来の薄茶色であり、吸収体２０が薄茶色である一方、ウイング部８８は白色である。そこで、吸液性コア２１を含む吸収体２０と、吸収体２０を含まないウイング部８８において、Ｌａｂ表色系のａ値を測定してみた。実施例１には、中間シートを有しておらず、吸収体の単位面積当たりの質量が１４ｇ／ｍ２のナプキン１０を用いた。さらに、実施例１と比較するため、リグニン成分を含まないコアカバーシートをそれぞれ用いてある比較例１〜３のナプキンも、同様に、吸液性コア２１を含む吸収体２０と、吸収体２０を含まないウイング部１８において、Ｌａｂ表色系のａ値を測定してみた。その実験結果を表７に示す。
【００９２】
【表７】
2020000714.tif 000009
【００９３】
表７に示すように、実施例１のナプキンのみが、両差の差が０．５以上である一方、比較例１〜３のナプキンは、両者の差が０．５より小である。両者の差が０．５以上であると、吸収体の周縁と、ウイング部８８を含むその他の領域との境界が明確となるため、着用者または介護者が吸収体２０の位置を把握できるため、好ましい。
【００９４】
なお、上述した実施形態には、吸液性コア２１がリグニン成分を含まないものを説明した。しかし、この発明はそれに限られず、吸液性コア２１がリグニン成分を含んでもよい。
【００９５】
上記実施形態には、予め前後ウエスト域の両側縁部が接合された、いわゆるパンツ型おむつを説明した。しかし、この発明はそれに限られず、開放型のおむつにも適用できる。
【００９６】
上記に開示した本発明の複数の実施形態は、分離して又は互いに組み合わせて採択することができる。
【００９７】
吸収性物品を構成する部材には、特に明記されていない限りにおいて、本明細書に記載されている材料のほかに、この種の分野において通常用いられている公知の材料を制限なく用いることができる。また、本明細書において使用されている「第１」および「第２」等の用語は、同様の要素、位置等を単に区別するために用いてある。
【符号の説明】
【００９８】
１      使い捨ておむつ（吸収性物品）
２１    吸液性コア
２１ｄ  幅狭域
２２ａ  第１コアカバーシート（コアカバーシート）
２２ｃ  両側縁部
２２ｄ  両側縁部
２２ｂ  第２コアカバーシート（コアカバーシート）
２２ｅ  両側縁部
２２ｆ  両側縁部
２７    接合部
３１    表面シート
３１ａ  表面シート
３２    裏面シート
３４    中間シート（別部材）
４１    漂白パルプ繊維
４２    未漂白パルプ繊維
６１    凸部
６２    凹部
７１    インジケータ
８０    使い捨てナプキン（吸収性物品）
Ｌ１    接合部の長さ寸法
Ｗ１    両側縁部のうちの一方の側縁部の横方向の寸法
Ｗ２    両側縁部のうちの他方の側縁部の横方向の寸法
Ｗ４    吸収体の横方向の寸法
Ｘ      横方向
Ｙ      縦方向
Ｚ      厚さ方向
【図１】
2020000714.tif 000010
【図２】
2020000714.tif 000011
【図３】
2020000714.tif 000012
【図４】
2020000714.tif 000013
【図５】
2020000714.tif 000014
【図６】
2020000714.tif 000015
【図７】
2020000714.tif 000016
【図８】
2020000714.tif 000017
【図９】
2020000714.tif 000018
【図１０】
2020000714.tif 000019
【図１１】
2020000714.tif 000020
【図１２】
2020000714.tif 000021